(57)【特許請求の範囲】
【請求項１】
表示部に視標画像を表示させる表示器が設けられた視標表示器と、
前記表示器に表示させる視標画像を選択するための選択手段と、
前記選択手段により選択された視標画像を前記視標表示器に表示させるメイン制御手段と、を備える検眼システムであって、
前記視標表示器は、プラグアンドプレイ用の表示器固有情報を記憶させるために確保された表示器情報記憶領域が設けられているメモリを備え、
前記表示器情報記憶領域は前記表示器固有情報が記憶された第１固有情報記憶領域と前記表示器の個体差に基づく前記表示部のコントラスト情報が前記表示器の接続規格ごとに記録されている第２固有情報記憶領域を有し、
前記メイン制御回路は、前記コントラスト情報に基づいてコントラストを補正して、設定されたコントラスト条件で前記視標画像を表示させることを特徴とする検眼システム。
【請求項２】
請求項１に記載の検眼システムにおいて、前記コントラスト情報が、ＲＧＢ値のうちのいずれか一つの値であることを特徴とする検眼システム。
【請求項３】
請求項１又は２に記載の検眼システムにおいて、前記コントラスト情報が、１つ又は複数の検眼距離ごとに記録されていることを特徴とする検眼システム。
【請求項４】
請求項１から３のいずれか一項に記載の検眼システムにおいて、前記メイン制御回路は、前記表示器固有情報から前記視標表示器が視標画像表示のための必要な表示条件を満たしていないと判断したときに、前記視標表示器へ視標画像の信号を出力しないように制御することを特徴とする検眼システム。
【請求項５】
請求項４に記載の検眼システムにおいて、前記メイン制御回路は、前記表示条件が視標表示器の周波数や解像度が視標画像表示のために設定された仕様を有していない場合や指定したメーカーの型番でない場合、前記視標表示器へ視標画像の信号を出力しないように制御することを特徴とする検眼システム。
【発明の詳細な説明】
【技術分野】
【０００１】
この発明は、視標表示器に検眼用の視標を表示させて視力や視機能等を検査する検眼システムに関するものである。
【背景技術】
【０００２】
従来の検眼システムとしては、ランドルト環や文字，数字等その他チャートを視標提示装置の表示部に表示させると共に、この表示部に表示されたチャート等を自覚式検眼装置の検眼窓を介して視認させて、コントローラにより自覚式検眼装置の検眼窓に臨ませる検眼用の光学部材を操作して、検眼を視力や視機能等を検査するようにしたシステムが知られている（例えば、特許文献１参照）。
【０００３】
このような検眼システムを用いての視力検査では、白地に真っ黒な文字や記号（視標）を設けた視力表を視標提示装置の表示部に表示させて、視力表のどのチャートがどのように見えるかで、視力値を求めるようにしている。通常の視力検査では、視標と白地のコントラスト比（白と黒の明暗の比率）が明瞭で、コントラストがはっきりしている視標（チャート）を用いている。
【先行技術文献】
【特許文献】
【０００４】
【特許文献１】特開２００９−５９０３号公報
【発明の概要】
【発明が解決しようとする課題】
【０００５】
しかし、実際に日常生活で見る画像は、真っ白と真っ黒が並んでいるということがほとんどなく、白黒がはっきりしていないものを見ていることが多い。しかも、視力検査での視力は正常でも、実際にはなんとなく見えにくいということもある。このような場合には、コントラストの違う視標を用いてコントラスト視力検査をする必要がある。
【０００６】
このため、上述した検眼システムを用いての検査にはコントラスト視力検査がある。このコントラスト視力検査では、視標提示装置の表示部に表示されるチャート等の視標のコントラストは、設定された白と黒の比率で厳密に表示させる必要がある。
【０００７】
しかし、液晶表示器やＣＲＴ、或いはプロジエクター等の視標提示装置では、表示部に表示されるチャート等の視標のコントラストが視標提示装置の個体差（例えば、液晶やバックライト等の個体差）により設定された比率で表示されないものであった。このようにチャート等の視標を設定された比率のコントラストで視標提示装置に提示させても、表示部に表示されるチャート等の視標のコントラストは視標提示装置の個体差によりバラツキが生じる。このようなバラツキが生じた場合には、正確なコントラスト視力検査ができないという問題があった。
【０００８】
そこで、この発明は、視標提示装置の個体差によるチャート等の視標の表示のコントラストの比率にバラツキが生じない検眼システムを提供することを目的とするものである。
【課題を解決するための手段】
【０００９】
この目的を達成するために、請求項１の発明は、表示部に視標画像を表示させる表示器が設けられた視標表示器と、前記表示器に表示させる視標画像を選択するための選択手段と、前記選択手段により選択された視標画像を前記視標表示器に表示させるメイン制御手段と、を備える検眼システムであって、前記視標表示器は、プラグアンドプレイ用の表示器固有情報を記憶させるために確保された表示器情報記憶領域が設けられているメモリを備え、前記表示器情報記憶領域は前記表示器固有情報が記憶された第１固有情報記憶領域と前記表示器の個体差に基づく前記表示部のコントラスト情報が前記表示器の接続規格ごとに記録されている第２固有情報記憶領域を有し、前記メイン制御回路は、前記コントラスト情報に基づいてコントラストを補正して、設定されたコントラスト条件で前記視標画像を表示させることを特徴とする。
【発明の効果】
【００１０】
この構成によれば、視標表示器の個体差によるチャート等の視標の表示のコントラストの比率にバラツキが生じるのを未然に防止して、正確なコントラスト視力検査を行うことができる。
【図面の簡単な説明】
【００１１】
【図１】この発明に係る自覚式検眼装置の使用状態を示す斜観図である。
【図２】図１の自覚式検眼装置の拡大説明図である。
【図３】図１に示したメイン制御装置と他の機器の接続を説明する説明図である。
【図４】図１の検眼システムの制御回路図である。
【図５】図１に示した視標表示器のプラグアンドプレイの説明図である。
【図５Ａ】図１に示した視標表示器の個体差によるコントラスト情報取得の説明図である。
【図６】図５の視標表示制御回路のメモリの説明図である。
【図７】表示部に表示される画面の一例を示した説明図である。
【図８】（ａ）は通常の視力検査に用いる視標（チャート）のコントラストを示す説明図、（ｂ）はコントラスト視力検査に用いる複数の視標（チャート）全体のコントラスト比率（白と黒との比率）を一様に変化させる場合の説明図、（ｃ）はコントラスト視力検査に用いる複数の視標（チャート）の列毎にコントラスト比率（白と黒との比率）を変化させる場合の説明図である。
【発明を実施するための最良の形態】
【００１２】
以下、この発明に係わる検眼システムの実施の形態である一実施例を図面に基づいて説明する。
【実施例】
【００１３】
図１，図３に示した検眼システムは、メイン制御装置（制御装置本体）１、視標提示（呈示）装置２，コントローラ３、自覚式検眼装置４（図２参照）を有する。
【００１４】
また、図１において、５は検眼テーブル、６は検眼テーブル５の側方に配設された支柱、７は支柱６に取り付けられる支持アームである。
【００１５】
視標提示装置２は、視標表示器２ａと、この視標表示器２ａを支持する支柱２ｂを有する。この視標表示器２ａには、液晶表示器（液晶ディスプレイ）が用いられている。しかも、視標表示器２ａは、前面開口２ｃ１の周縁に方形状枠部2ｃ２を有する方形状のケース２ｃと、ケース２ｃに組み込まれたパネル状の表示器本体（液晶表示器本体）２ｄを有する。そして、表示器本体２ｄの表示部（液晶表示部、表示画面）２ｄ１は、前面開口２ｃ１に臨ませられている。
【００１６】
この支柱６は上下方向に伸縮可能に検眼テーブル５に取り付けられており、支持アーム７は支柱６に水平回動可能に設けられている。
［自覚式検眼装置４］
この自覚式検眼装置４は、図２に示すように支持アーム７の長手方向中間の水平部７ａに固定された支持部材８と、支持部材８の下部側に配設したユニット支持体９と、ユニット支持体９の下部に配設した測定ヘッド（検眼装置本体）４ａを有する。この測定ヘッド４ａは、左右対称形の検眼ユニット１０Ｌ，１０Ｒを有する。
【００１７】
この検眼ユニット１０Ｌ，１０Ｒは、相対接近・離反できるようになっており、これにより検眼ユニット１０Ｌ，１０Ｒの検眼窓Ｌｗ，Ｒｗの光軸間距離を被検者２２の瞳孔間距離に合わせることができるようになっている。
【００１８】
図１の被検者２２は、検眼ユニット１０Ｌ，１０Ｒの検眼窓Ｌｗ、Ｒｗを通じて視標提示装置２の表示部（視標提示部）２ｄ１に提示される視標チャートを見ることにより各種の検査を受けるものである。そして、検眼ユニット１０Ｌ，１０Ｒの検眼窓Ｌｗ、Ｒｗには、各種の光学素子（光学部材）が配置され、これにより視力検査や視機能検査等その他各種の検査が行えるようになっている。このような検眼ユニット１０Ｌ，１０Ｒを有する自覚式検眼装置４には周知の構成を採用できるので、その詳細な説明は省略する。
[制御回路]
＜メイン制御装置１＞
視標提示（呈示）装置２，コントローラ３、自覚式検眼装置４は、図４に示したようにメイン制御装置１のメイン制御回路（メイン制御手段）３１４に接続される。
【００１９】
このメイン制御回路３１４は、図４に示したように、電源回路３１５と、電源回路３１５から供給される電源により動作する演算制御部（演算制御回路）３１６と、演算制御部３１６に接続された画像処理回路３１７と、演算制御部３１６に接続されたメインメモリ３２０を有する。このメインメモリ３２０には、コントローラ３で選択操作される視標画像やメニュー等のデータが記憶されている。
＜視標表示器２ａ＞
図1に示した視標表示器２ａのケース２ｃ内には、図４に示した視標表示器２ａの視標表示制御回路（視標制御装置）４００が設けられている。この視標表示制御回路４００は、ＤＶＩ（デジタル・ビジュアル・インターフェイス）４０１，演算制御部４０２，液晶駆動回路４０３，ＥＥＰＲＯＭ等の読み書き可能なメモリ４０５を有する。この視標表示制御回路４００には、視標表示器２ａの表示器本体（液晶表示器本体）２ｄを制御するのに必要最小限の能力を有するＭＰＵ（マイクロプロセッサユニット）が用いられている。
【００２０】
このメモリ４０５には、視標表示器２ａのＥＤＩＤ(Ｅｘｔｅｎｄｅｄ  Ｄｉｓｐｌａｙ  Ｉｄｅｎｔｉｆｉｃａｔｉｏｎ Ｄａｔａ)を記憶（記録）させるために確保された図６のＥＤＩＤフォーマットの１２８バイトの表示器情報記憶領域００ｈ〜７Ｆｈが設けられている。
【００２１】
このＥＤＩＤは、液晶ディスプレイ(モニター）である視標表示器２ａのプラグアンドプレイ時に、接続元である視標表示器２ａの設定値等を接続先であるメイン制御装置１のメイン制御回路３１４に伝えるための表示器固有情報である。そして、視標表示器２ａは、ＥＤＩＤ 、ＤＤＣと呼ぶ２つの技術によって、図５に示したようにメイン制御装置１との間でプラグアンドプレイを実現するようになっている。
【００２２】
このＥＤＩＤには、対応する周波数、解像度のほか、製造メーカー名（Ｖｅｎｄｏｒ ＩＤ）や型式（Ｐｒｏｄｕｃｔ ＩＤ）など、視標表示器２ａ固有の特性を記述した１２８バイトのバイナリーフアイルで、視標表示器２ａのメモリ４０５に格納（記憶）されている。このＥＤＩＤは、視標表示器２ａからメイン制御回路３１４の演算制御部３１６側へＤＤＣにより読み出されるようになっている。
【００２３】
また、メイン制御回路３１４の演算制御部３１６は、ディスプレイケーブル内の２本の信号線、ＳＤＡ(Ｓｅｒｉａｌ Ｄａｔａ）およびＳＣＬ(Ｓｅｒｉａｌ Ｃｌｏｃｋ）を用いて、システム起動時や視標表示器２ａの接続時に視標表示器２ａ内部からＥＤＩＤを読み出すようになっている。
【００２４】
この際、メイン制御回路３１４の演算制御部３１６は、起動時にＤＤＣ（Ｄｉｓｐｌａｙ Ｄａｔａ Ｃｈａｎｎｅｌ すなわちＶＥＳＡ Ｄｉｓｐｌａｙ Ｄａｔａ Ｃｈａｎｎｅｌ）という規格を用いて、視標表示器２ａ内の仕様を読み出し、演算制御部３１６の表示器情報記憶部（図示せず）に格納する。この情報を使って最適な映像信号をグラフィックス機構で生成して、出力する。この表示器情報記憶部としては、レジストリ等の記憶領域であっても良いし、レジストリ以外に設定された記憶領域であっても良い。
【００２５】
尚、ここで言うＤＤＣ(Ｄｉｓｐｌａｙ Ｄａｔａ Ｃｈａｎｎｅｌ)とは、視標表示器２ａとメイン制御回路３１４の演算制御部３１６との間で各種情報を交換し、それによってプラグアンドプレイを実現しようとする規格のことである。このＤＤＣでは、視標表示器２ａと画像処理回路３１７の間で、視標表示器２ａの許容解像度や色深度、走査周波数や製品の型番といった情報をやり取りすることができる。これらの情報によって、視標表示器２ａの設定情報を引き継ぎ、視標表示器２ａの性能に合わせて自動的に設定が行われるようになっている。
【００２６】
このプラグアンドプレイを実現するために確保されたＥＤＩＤの記憶領域００ｈ〜７Ｆｈのうち全ての部分が視標表示器２ａの固有情報を記憶（記録）させるために用いられているのではない。
【００２７】
この表示器情報記憶領域００ｈ〜７Ｆｈのうちアドレス００ｈ〜４７ｈが視標表示器２ａの固有情報を記憶（記録）させるために確保された表示器固有情報記憶領域（第１固有情報記憶領域）となっており、アドレス４８ｈ〜７Ｄｈで示した記憶領域は視標表示器２ａの固有情報の記憶に用いられていない。よって、アドレス５Ａｈ〜６Ｂｈおよびアドレス６Ｃｈ〜７Ｄｈの記憶領域が個体差情報記憶部（第２固有情報記憶領域）として用いることができる。
【００２８】
アドレス００ｈ〜４７ｈには、図６のＤａｔｅに示したような視標表示器２ａの固有情報（Ｈｅａｄｅｒ  Ｉｎｆｏｒｍａｔｉｏｎ、Ｂａｓｉｃ  ｄｉｓｐｌａｙ  ｐａｒａｍｅｔｅｒｓ、Ｃｈｒｏｍａｔｉｃｉｔｙ  ｃｏｏｒｄｉｎａｔｅ、  Ｅｓｔａｂｌｉｓｈｅｄ  ｔｉｍｉｎｇ  １、Ｅｓｔａｂｌｉｓｈｅｄ  ｔｉｍｉｎｇ  ２、Ｍａｎｕｆａｃｔｕｒｅ’ｓ  ｒｅｓｅｒｖｅｄ  ｔｉｍｉｎｇ、Ｓｔａｎｄａｒｄ  ｔｉｍｉｎｇ  ｉｄｅｎｔｉｆｉｃａｔｉｏｎ、Ｄｅｓｃｒｉｐｔｏｒ  Ｂｒｏｃｋ  １）が記憶されている。また、アドレス７ＥｈにはＥｘｔｅｎｓｉｏｎ  ｆｌａｇが記憶され、アドレス７Ｆｈには、Ｃｈｅｃｋｓｕｍが記憶されている。シリアル番号はＨｅａｄ  Ｉｎｆｏｍｅｔａｉｏｎに含まれ、映像入力ＤＶＩや映像入力ＶＧＡはＢａｓｉｃ  ｄｉｓｐｌａｙ  ｐａｒａｍｅｔｅｒに含まれる。
【００２９】
また、アドレス４８ｈ〜７Ｄｈで示した残りの記憶領域は、アドレス４８ｈ〜５９ｈのＤｅｓｃｒｉｐｔｏｒ  Ｂｒｏｃｋ  ２、アドレス５Ａｈ〜６ＢｈのＤｅｓｃｒｉｐｔｏｒ  Ｂｒｏｃｋ  ３、アドレス６Ｃｈ〜７ＤｈのＤｅｓｃｒｉｐｔｏｒ  Ｂｒｏｃｋ  ４に分けられている。そして、Ｄｅｓｃｒｉｐｔｏｒ  Ｂｒｏｃｋ  ２にはモニター名称を記憶し、Ｄｅｓｃｒｉｐｔｏｒ  Ｂｒｏｃｋ  ３にはＤＶＩ接続時のコントラスト情報を記憶し、アドレス６Ｃｈ〜７ＤｈのＤｅｓｃｒｉｐｔｏｒ  Ｂｒｏｃｋ  ４にはＶＧＡ接続時のコントラスト情報を記憶する。
【００３０】
そして、メイン制御装置１のメイン制御回路３１４は、メイン制御装置１の視標表示器２ａの接続時、或いは起動時に、メモリ４０５の全てのＥＤＩＤ情報を読み込んでメインメモリ３１９に記憶させる。このメイン制御回路３１４は、コントラスト視力検査等を行う場合、メインメモリ３２０記憶させたコントラスト情報を読み出し、この読み出したコントラスト情報に基づき「視標表示器２ａのチャート表示（画像表示）のコントラスト制御（補正制御）」を実行させることにより、視標表示器２ａの個体差に基づくコントラストの相違が生じないように、視標（チャート）を視標表示器２ａに表示させることができる。即ち、メイン制御回路３１４は、メインメモリ３２０から読み出したコントラト情報に基づき、コントローラ３で選択された視標（チャート）を設定されたメインメモリ３２０に記録されているコントラスト条件で視標表示器２ａに表示させるように制御する。
＜コントラスト制御データ＞
ところで、表示部（表示画面）２ｄ１のコントラストは、白と黒の比率により決まる。この白と黒の比率は、表示部（表示画面）２ｄ１に画像をデジタルで表示する際、白の％や黒の％はデジタル表現の８バイト（２５６ビット）で表している。
【００３１】
即ち、明度が０％（「０００」）の時には最も暗い黒の状態になり、明度が１００％（「２５６」）の時には最も明るい白の状態になるので、明度が０％から１００％に向かうに従って暗い黒の状態から明るい白の状態に変化する。従って、白が１００％のときの白の明るさを「２５６」としたときに黒が０％ので「０００」となる。この白と黒の比率を５０％：５０％とすると、白の階調は１２８，黒の階調は１２８となる。
【００３２】
この白と黒の比率で視標表示器２ａの表示部（表示画面）２ｄ１に表示させる画像のコントラストを設定して、この設定した白と黒の比率で視標表示器２ａに画像を表示させたときに、視標表示器２ａの個体差により視標表示器２ａの表示部（表示画面）２ｄ１に表示される画像のコントラストは異なってくる。この視標表示器２ａの個体差による表示明コントラストの相違を検出して、表示明コントラストの相違があっても設定したコントラストで画像が表示できるように補正する必要がある。この補正のために、視標表示器２ａのコントラスト情報（コントラスト制御データ）を取得しておく必要がある。
【００３３】
このコントラスト情報は、図５Ａに示したパソコンＰＣと輝度計５００を用いて取得する。この取得に際しては、パソコンＰＣに視標表示器２ａおよび輝度計５００を接続すると共に、輝度計５００を視標表示器２ａの表示部（表示画面）２ｄ１の前に配置する。輝度計５００と表示部（表示画面）２ｄ１との距離は、検眼距離に対応した距離に設定する。
【００３４】
この検眼距離としては、例えば、通常の遠用検査の場合には５ｍであるが、近用検査の場合には３０ｃｍ等がある。しかし、この検眼距離としては、例示した以外の距離であっても良い。
【００３５】
また、輝度計５００を視標表示器２ａの表示部（表示画面）２ｄ１に対して例えば３０ｃｍの位置から５ｍの位置まで所定間隔毎（例えば５０ｃｍあるは１ｍごと）に移動させて、移動位置における視標表示器２ａの輝度情報をコントラスト情報として取得しても良い。
【００３６】
このようなコントラスト情報の取得は、外光に影響されない室内で行う。
【００３７】
例えば、白が１００％を２５６階調で表したときに、階調５０％のコントラストで表示部（表示画面）２ｄ１の明るさで表示する命令（指示）を視標表示器２ａに出力するようにパソコンＰＣからの画像信号の出力を設定して、この設定に基づく画像信号を視標表示器２ａに入力したとき、視標表示器２ａに例えば液晶やバックライト等による個体差がなく、表示部（表示画面）２ｄ１の白と黒の比率が５０％：５０％で表示されば設定した明るさのコントラストとなる。
【００３８】
しかし、視標表示器２ａに例えば液晶やバックライト等による個体差があって、表示部（表示画面）２ｄ１の白と黒の比率が５０％：５０％で表示されない場合がある。例えば、輝度計５００から得られる輝度情報から、表示部（表示画面）２ｄ１の明るさが少し暗めであるような場合、或いは表示部（表示画面）２ｄ１の明るさが少し明めであるような場合である。
【００３９】
例えば、輝度計５００から得られる輝度情報から表示部（表示画面）２ｄ１の明るさが少し暗めであるような場合には階調１２８で設定した白の階調を例えば１２９にするという判断をパソコンＰＣにさせる。そして、この視標表示器２ａにおいて白と黒の比率が５０％：５０％で表示するには、白の階調を１２９にし黒の階調を１２７にするように設定した画像信号を視標表示器２ａに入力するような補正のコントラスト情報を取得する。
【００４０】
この表示部（表示画面）２ｄ１のコントラストを階調５０％にするための視標表示器２ａの階調の補正データ（補正情報）である１２９のビットデータを、視標表示器２ａの個体差に基づくコントラスト情報（コントラスト補正の情報）とする。このようなコントラスト情報（コントラスト補正の情報）は、白と黒との比率を所定値毎に変化させて取得する。
【００４１】
尚、コントラスト情報の取得は、パソコンＰＣによりコントラスト情報取得プログラムを起動させて実行する。このコントラスト情報取得プログラムは、白と黒の比率を２．５％毎（又は５％，１２．５％，２５％，５０％毎）に変化させて表示部（表示画面）２ｄ１の明るさ変化させたとき、表示部（表示画面）２ｄ１の明るさを輝度計５００により８バイトのデータで取得する。
【００４２】
この際、表示部（表示画面）２ｄ１の明るさを設定する白と黒の比率と実際の表示部（表示画面）２ｄ１の白と黒の比率とを対応させて取得して記録する。
【００４３】
この取得された実際の表示部（表示画面）２ｄ１の白と黒の比率から、設定した白と黒の比率によるコントラストにするにはどの程度の階調を増減すれば良いかを求めて、求めた情報をコントラスト情報とする。
【００４４】
輝度の最大値Ｌｍａｘと最小値Ｌｍｉｎを用いてコントラストを表す場合、
【００４５】
【数１】
0005746875.tif 000002
となる。仮に、Ｌｍａｘを１００にすると共にＬｍｉｎを調節して、視標表示器２ａに表示される画像のコントラスト率を５０％にしたい場合、Ｌｍｉｎ＝３３．３となる。
【００４６】
そこで、パソコンＰＣはＬｍａｘ＝１００、Ｌｍｉｎ＝３３．３で視標表示器２ａに画像を表示し、輝度計５００で輝度を測定する。これにより、パソコンＰＣで出力した通りの輝度がそれぞれ測定されれば、コントラスト率５０％の画像が視標表示器２ａに表示されることになる。しかし、輝度計５００で測定された輝度から、コントラスト率５０％の画像が視標表示器２ａに表示されていない場合、Ｌｍａｘ又はＬｍｉｎの値を増減して、画像が視標表示器２ａに表示される画像がコントラスト率５０％になるように調節する。このＬｍａｘ又はＬｍｉｎの調節に得られた増減値はパソコンＰＣにより実行され、このときのＬｍａｘ又はＬｍｉｎの増減値が視標表示器２ａのコントラスト補正のためのコントラスト情報として取得される。
【００４７】
表示器固有情報が記憶されていないアドレス５Ａｈ〜７Ｄｈで示した記憶領域を個体差情報記憶部（第２固有情報記憶領域）として使用し、視標表示器２ａのコントラスト補正のためのコントラスト情報を個体差情報記憶部（第２固有情報記憶領域）に記憶させる。
【００４８】
また、演算制御部４０２は、入力させる画像信号からＲ，Ｇ，Ｂの画像データに基づき液晶駆動回路４０３を駆動制御して、液晶駆動回路４０３により表示器本体２ｄの表示部（液晶表示部）２ｄ１に画像を表示させるようになっている。
【００４９】
また、メイン制御回路３１４は、視標表示のための必要な表示条件、即ち視標表示器２ａの周波数や解像度が視標表示のために設定された仕様（表示条件）を有していない場合、或いは指定したメーカーの型番を有していない場合、視標表示器２ａへの視標画像の信号の出力をしない（禁止する）ように制御するようになっている。これにより、誤測定や誤検査を簡単な構成で未然に防止できる。
【００５０】
コントラスト情報としては、コントラストチャート表示用の色情報が設定される。色情報としてはＲＧＢ値を持たせるとよい。ただし視標は色味を用いない白と黒の明るさで構成されているので、ＲＧＢの値は同じ値が適用される。よって以下のように各輝度情報は、一つの値を記録するのみで良く、アドレス５Ａｈ〜７Ｄｈの記録容量を減らすことができる。
【００５１】
例えば、
白：ＲＧＢ（２５５，２５５，２５５）→ＦＦｈ，ＦＦｈ，ＦＦｈ→ＦＦｈ
灰：ＲＧＢ（１２８，１２８，１２８）→８０ｈ，８０ｈ，８０ｈ→８０ｈ
黒：ＲＧＢ（０，０，０）→０ｈ，０ｈ，０ｈ→０ｈ
この例では、白ＲＧＢ（２５５，２５５，２５５）はＦＦｈ，ＦＦｈ，ＦＦｈであるが、白ＲＧＢ（２５５，２５５，２５５）をＦＦｈのみで表すものとする。同様に、黒ＲＧＢ（０，０，０）は０ｈ，０ｈ，０ｈであるが、黒ＲＧＢ（０，０，０）を０ｈのみで表すものとする。
＜コントローラ３＞
検眼テーブル５には、図１に示すようにコントローラ（選択手段）３が載置されている。このコントローラ３は、操作部３ａ，マウス３ｂおよび液晶などからなるモニター用の表示部３ｃを備えている。この表示部３ｃには、タッチパネル式の液晶パネルが用いられている。
（操作部３ａ）
操作部３ａには、図１に示したように、画面操作手段としてのキーボードＫＢを有する。この検眼用のコントローラ３のキーボードＫＢには周知の構成が採用できるので、その詳細な説明は省略する。
（表示部３ｃ）
表示部３ｃには、図７に示したようにチャート群表示選択用のボタン「Ｃｈａｒｔ１」〜「Ｃｈａｒｔ５」および選択チャート表示部Ｇａが設けられている。表示部３ｃの下半分の右側には、図７に示したように選択されたチャートを表示させる提示チャート表示部Ｇｂが設けられている。そして、この「Ｃｈａｒｔ１」〜「Ｃｈａｒｔ５」のボタンをタッチして選択することにより、「Ｃｈａｒｔ１」〜「Ｃｈａｒｔ５」の選択チャート表示部Ｇａに異なる複数のチャート群が表示させられるようになっている。また、選択チャート表示部Ｇａの複数のチャート群の一つをタッチして選択することにより、選択されたチャートが提示チャート表示部Ｇｂに表示される。
【００５２】
このようなチャート選択や表示制御は、メイン制御装置１のメイン制御回路３１４によりコントローラ３の内部のコントローラ制御回路（コントローラ制御手段）４３を介して実行される。
【００５３】
このコントローラ制御回路４３は、演算制御回路（演算制御手段）４３ａと、液晶駆動回路４３ｂと、ＥＥＰＲＯＭ等の読み書き可能なメモリ４４を有する。
【００５４】
このコントローラ制御回路４３には、コントローラ３を動作制御するのに必要最小限な能力を有するＭＰＵ（マイクロプロセッサユニット）が用いられている。メモリ４４には、コントローラ３のＥＤＩＤ（仕様情報データ）を記憶(記録）したＥＤＩＤのファイルが記憶されている。このコントローラ３のＥＤＩＤは、コントローラ３のプラグアンドプレイ時に、接続元であるコントローラ３の機種名や設定値等を接続先のメイン制御装置１の演算制御部３１６に伝えるための独自のＩＤである。
＜自覚式検眼装置４の測定ヘッド４ａの制御回路＞
自覚式検眼装置４の測定ヘッド４ａは、図４に示したように制御回路（光学部材制御手段）４ｂを有する。この制御回路４ｂは、演算制御回路（ＣＰＵ）４５と、この演算制御回路（ＣＰＵ）４５に接続されたメモリ４ｃを有する。このメモリ４ｃには、測定ヘッド４ａの制御情報等が記憶されている。
【００５５】
なお、操作部３ａやマウス３ｂ或いは選択チャート表示部Ｇａに表示されたチャート群の一つにタッチすることによって、選択チャート表示部Ｇａに表示されるチャート群のうちから所望の視標チャートを選択することができる。そして、コントローラ制回路４３ａは、選択チャート表示部Ｇａに表示されるチャート群のうちから所望の視標チャートが選択されると、選択信号を演算制御部３１６に入力する。この演算制御部３１６は、視標提示装置２の演算制御部４０２に制御信号を入力する。この演算制御部４０２は、入力される制御信号により視標提示装置２の表示部２ｄ１にその選択した視標チャートが提示させる。また、その選択された視標チャートに応じて演算制御部３１６は、演算制御回路４５を介して検眼ユニット１０Ｌ、１０Ｒの制御を行い、これにより検眼ユニット１０Ｌ，１０Ｒの検眼窓Ｌｗ、Ｒｗにその選択された視標チャートに対応した検査用光学素子が配置されるようになっている。この構成にも周知の構成を採用できる。
[動 作]
次に、このような構成の検眼システムの動作を説明する。
（１）．機器の接続
視標提示装置２をメイン制御装置１内のメイン制御回路３１４に接続すると、液晶ディスプレイ(モニター）である視標表示器２ａのプラグアンドプレイ時に、接続元である視標表示器２ａの機種名や設定値等のＥＤＩＤの情報がメモリ４０５から接続先であるメイン制御装置１のメイン制御回路３１４に読み込まれ、このＥＤＩＤの情報がメイン制御回路３１４の表示器情報記憶部（図示せず）に記録される。
【００５６】
この際、メモリ４０５のＥＤＩＤの情報に記録された視標提示装置２の個体差によるコントラスト情報（階調のビットデータによるコントラスト補正の情報）もメイン制御回路３１４に読み込まれてメインメモリ３２０に記録される。
【００５７】
また、コントローラ３をメイン制御装置１内のメイン制御回路３１４に接続すると、メイン制御回路３１４は、コントローラ３のＥＤＩＤ（仕様情報データ）を記憶(記録）したＥＤＩＤをメモリ４４から読み出して、メインメモリ３２０に記録する。
（２）．コントローラ３の表示部３ｃへのチャート表示（画像表示）
上述したように、メイン制御装置１内にはメイン制御回路３１４が設けられ、このメイン制御回路３１４のデータメモリ３２０にはコントローラ３で選択操作される視標画像やメニュー等のデータ（ファイル）が記憶されている。
【００５８】
そして、メイン制御回路３１４は、メイン制御装置１の電源がオンさせられると動作を開始して、コントローラ３に電源を供給して、コントローラ３の制御動作を開始する。この際、メイン制御回路３１４は、データメモリ３２０に記憶されている検眼用の初期画面データを画像処理回路３１７を介してコントローラ３のコントローラ制御回路４３に入力する。このコントローラ制御回路４３は、初期画面データが入力されると図７に示した初期画面をコントローラ３の表示部３ｃに表示させる。
【００５９】
このコントローラ３は、キーボードＫＢ，マウス３ｂ，表示部３ｃのタッチパネル部等の操作をすると、この操作信号をメイン制御装置１のメイン制御回路３１４に入力する。
（３）．視標呈示装置２の視標表示器２ａへのチャート表示及びコントラスト制御
コントローラ３の表示部３ｃに表示されたチャート群から視標チャートのアイコンを選択すると、演算制御部３１６で視標表示器２ａに表示させるチャートの画像を生成し、このチャートの画像を画像処理回路３１７を通して視標表示器２ａに表示させる。同時に、メイン制御回路３１４は、視標表示器２ａに表示させているチャートの画像を確認のために画像処理回路３１７を通してコントローラ３の表示部３ｃに表示させる。
（４）．コントラスト視力検査
一般の視力検査のための視力表では、例えば図８（ａ）に示したようにコントラストがはっきりしている視標（チャート）を判別するのが容易である。ここでは、視標（チャート）としてランドルト環を用いているが、視標（チャート）としてとしては文字や数字等であっても良い。
【００６０】
しかし、実際に日常生活で見る画像は、真っ白と真っ黒が並んでいるということがほとんどなく、白黒がはっきりしていないものを見ていることが多い。従って、視力検査での視力は正常でも、実際にはなんとなく見えにくいということもある。このような場合には、コントラストの違う視標を用いてコントラスト視力検査をする必要がある。
【００６１】
このコントラスト視力検査では、例えば、図８（ｂ），図８（ｃ）に示したように視標（チャート）のコントラストを変えて表示させ、どの程度のコントラストでどの程度の大きさの視標（チャート）が見えるかを検査する。図８（ｂ）はコントラスト視力検査に用いる複数の視標（チャート）全体のコントラスト比率（白と黒との比率）を一様に変化させる場合を示し、図８（ｃ）はコントラスト視力検査に用いる複数の視標（チャート）の列Ｃ１〜Ｃ５毎にコントラスト比率（白と黒との比率）を変化させる場合を示したものである。
【００６２】
この図８（ｂ），図８（ｃ）に示した視標（チャート）を用いてコントラスト視力検査を行う場合、視標（チャート）のコントラストは非常に厳密に提示する必要がある。このため、メイン制御装置１のメイン制御回路３１４は、メモリ４０５のアドレス５Ａｈ〜７Ｄｈで示した個体差情報記憶部（第２固有情報記憶領域）から読み込んで、メインメモリ３２０に記憶させたコントラスト条件を、図８（ｂ），図８（ｃ）に示した視標（チャート）を視標表示器２ａに表示させる際に、メインメモリ３２０から読み出し、この読み出したコントラスト条件に基づき「視標表示器２ａのチャート表示（画像表示）のコントラスト制御（補正制御）」を実行させることにより、視標表示器２ａの個体差に基づくコントラストの相違が生じないように、視標表示器２ａに図８（ｂ），図８（ｃ）の視標（チャート）を表示させる。
【００６３】
即ち、メイン制御回路３１４は、メインメモリ３２０から読み出したコントラト条件に基づき、コントローラ３で選択された視標（チャート）をメインメモリ３２０に記録されているコントラスト条件で視標表示器２ａに表示させるように制御する。
【００６４】
以上説明したように、この発明の実施の形態の検眼システムは、表示部２ｄ１に視標画像を表示させる表示器体２ｄが設けられた視標表示器２ａと、  前記表示器に表示させる視標を選択するための選択手段（コントローラ３）と、前記選択手段（コントローラ３）により選択された視標画像を前記視標表示器２ａに表示させるメイン制御回路３１４が設けられた制御手段（メイン制御装置１）と、を備えている。しかも、前記視標表示器２ａは、プラグアンドプレイ用の表示器固有情報を記憶させるために確保された表示器情報記憶領域が設けられているメモリ４０５を備え、前記表示器情報記憶領域は前記表示器固有情報が記憶された第１固有情報記憶領域と前記表示器本体２ａの個体差に基づく前記表示部２ｄ１のコントラスト情報が記録されている第２固有情報記憶領域を有する。また、前記メイン制御回路３１４は、前記視標画像を読み込んだ前記コントラスト情報に基づいてコントラストを補正して、前記表示部２ｄ１に表示させる視標画像を設定されたコントラスト条件で前記視標画像を表示させるようになっている。
【００６５】
この構成によれば、視標提示器２ａの個体差によるチャート等の視標の表示のコントラストの比率にバラツキが生じるのを未然に防止して、正確なコントラスト視力検査を行うことができる。
【００６６】
また、この発明の実施の形態の検眼システムにおいて、前記メイン制御回路３１４は、前記視標表示器２ａが前記表示器固有情報から前記視標表示器２ａが視標画像表示のための必要な表示条件を満たしていないと判断したときに、前記視標表示器２ａへ視標画像の信号を出力しないように制御するようになっている。
【００６７】
この構成によれば、視標表示器２ａが視標表示のための必要な表示条件を満たしていない場合に生じる虞のある誤測定や誤検査を簡単な構成で未然に防止できる。
【００６８】
更に、この発明の実施の形態の検眼システムにおいて、前記メイン制御回路３１４は、前記表示条件が視標表示器２ａの周波数や解像度が視標画像表示のために設定された仕様を有していない場合や指定したメーカーの型番でない場合、前記視標表示器２ａへ視標画像の信号を出力しないように制御するようになっている。
【００６９】
この構成によれば、視標表示器２ａの周波数や解像度が視標表示のために設定された仕様を有していない場合や指定したメーカーの型番でない場合に生じる虞のある誤測定や誤検査を簡単な構成で未然に防止できる。
【符号の説明】
【００７０】
１・・・メイン制御装置
２・・・視標提示装置
２ａ・・・視標表示器（表示器）
２ｄ・・・表示器本体
２ｄ１・・・表示部（表示画面）
３・・・コントローラ（視標選択装置）
３１４・・・メイン制御回路
４０５・・・メモリ
【図１】
0005746875.tif 000003
【図２】
0005746875.tif 000004
【図３】
0005746875.tif 000005
【図４】
0005746875.tif 000006
【図５】
0005746875.tif 000007
【図５Ａ】
0005746875.tif 000008
【図６】
0005746875.tif 000009
【図７】
0005746875.tif 000010
【図８】
0005746875.tif 000011